(57)【特許請求の範囲】
【請求項１】
横方向即ち腰回り方向（１６）に連続する、腰周り方向に閉じた腰部開口部（１８）を有する腹帯及び背帯を形成するために、両側の側面継ぎ目領域（１４）で製造者側で互いに接続された前腹部（４）及び後背部（６）と、長手方向（９）に内側（４１）と股対向横縁部（５８）を有する前記腹部（４）と、内側（４１）と股対向横縁部（６０）を有する前記背部（６）との間に延伸する吸収体（７）を有し且つ内面（８５）と外面（８６）を有する股部（８）と、長手方向縁部（４８）と長手方向端部（９８、１００）と、を有する、身体排泄物の受容のためのパンツ型失禁用品（２）において、前記股部（８）が前方重なり領域（３６）において腹部（４）と重なり、前記股部（８）が後方重なり領域（３８）において背部（６）と重なり、前記股部（８）がその外面（８６）で前方接続領域（３０６）において腹部（４）の内側（４１）に分離不能に結合され、前記股部（８）がその外面（８６）で後方接続領域（３０８）において背部（６）の内側（４１）に分離不能に結合され、前記股部（８）のみならず腹部（４）と背部（６）が失禁用品の脚開口部（１９）を画成し、第１の弾性化手段（２８）が腹部（４）と背部（６）に設けられ、互いに離間され、横方向即ち腰回り方向（１６）において互いに平行に広がり、したがって、それらの表面領域上で腹部（４）と背部（６）を弾性化し、第２の弾性化手段（４０、４２）が脚開口（１９）に対向する腹部（４）及び背部（６）の股側領域（２２、２６）に設けられ、前記股部（８）が液不透過性バックシート材料（６２）を含み、前記吸収体（７）がバックシート材料（６２）とトップシート材料（８４）との間に配置され、吸収体（７）が長手方向縁部（４６）を有し、前記トップシート材料（８４）又は前記トップシート材料（８４）とバックシート材料（６２）とが吸収体（７）の長手方向縁部（４６）の外側にそれぞれ広がり、腹部（４）と背部（６）の接続領域（３０６、３０８）が第１の結合領域（３１０、３１２）と、第２の結合領域（３１４ａ、３１４ｂ、３１６ａ、３１６ｂ）をそれぞれ含み、前記第１の結合領域（３１０、３１２）が吸収体（７）の下の少なくともある部分に広がり、前記第２の結合領域（３１４ａ、３１４ｂ、３１６ａ、３１６ｂ）が、股部（８）のそれぞれの長手方向縁部（４８）を橋渡しする領域（３２０ａ、３２０ｂ、３２２ａ、３２２ｂ）に設けられ、即ち、股部（８）のオーバーハング部（６６ａ、６６ｂ）の部分領域（３２４ａ、３２４ｂ、３２６ａ、３２６ｂ）と、腹部（４）及び／又は背部（６）の、隣接する部分領域（３２８ａ、３２８ｂ、３３０ａ、３３０ｂ）の両者の上に広がり、それぞれの第２の結合領域（３１４ａ、３１４ｂ、３１６ａ、３１６ｂ）が、股部（８）の長手方向端部（９８、１００）の方向において腹部（４）及び／又は背部（６）の股対向横縁部（５８、６０）からそれぞれ長さ方向（９）に広がり、それぞれの第２の結合領域（３１４ａ、３１４ｂ、３１６ａ、３１６ｂ）が、溶接位置の形状、特に超音波溶接位置、熱溶接位置、及び／又はカレンダ溶接位置における結合手段（３４０）によって形成され、この結果、第２の結合領域（３１４ａ、３１４ｂ、３１６ａ、３１６ｂ）が補強手段（３３４ａ、３３４ｂ、３３６ａ、３３６ｂ）を形成する、パンツ型失禁用品。
【請求項２】
長さ方向（９）について考えたときに、第２の結合領域（３１４ａ、３１４ｂ、３１６ａ、３１６ｂ）と、その結果としての補強領域（３３４ａ、３３４ｂ、３３６ａ、３３６ｂ）が、腹部（４）及び背部（６）の股対向横縁部（５８、６０）から股部（８）の少なくともそれぞれの長手方向端部（９８、１００）まで広がることを特徴とする、請求項１に記載の失禁用品。
【請求項３】
幅（Ｐ’）を有し、第２の結合領域（３１４ａ、３１４ｂ、３１６ａ、３１６ｂ）がその上に広がるそれぞれのオーバーハング部（６６ａ、６６ｂ）の部分領域（３２４ａ、３２４ｂ、３２６ａ、３２６ｂ）の、前方重なり領域（３６）及び後方重なり領域（３８）の少なくとも一方における幅（Ｈ）を有するそれぞれのオーバーハング部（６６ａ、６６ｂ）に対する割合Ｐ’／Ｈは、少なくとも０．０１であり、最大で０．９０であることを特徴とする、請求項１または２に記載の失禁用品。
【請求項４】
幅（Ｐ”）を有し、第２の結合領域（３１４ａ、３１４ｂ、３１６ａ、３１６ｂ）がその上に広がる腹部（４）及び／又は背部（６）のそれぞれの部分領域（３２８ａ、３２８ｂ、３３０ａ、３３０ｂ）の、幅（Ｈ）を有するそれぞれの前記オーバーハング部（６６ａ、６６ｂ）に対する割合Ｐ”／Ｈは、少なくとも０．０１であり、最大で０．９０であることを特徴とする、請求項１〜３の何れか１つに記載の失禁用品。
【請求項５】
幅（Ｐ”）を有し、第２の結合領域（３１４ａ、３１４ｂ、３１６ａ、３１６ｂ）がその上に広がる腹部（４）及び／又は背部（６）のそれぞれの部分領域（３２８ａ、３２８ｂ、３３０ａ、３３０ｂ）の、幅（Ｎ）を有する腹部（４）及び／又は背部（６）のそれぞれの側面領域（３６０ａ、３６０ｂ、３６２ａ、３６２ｂ）に対する割合Ｐ”／Ｎは、少なくとも０．０１であり、最大で０．３５であることを特徴とする、請求項１〜４の何れか１つに記載の失禁用品。
【請求項６】
幅（Ｐ’）を有し、第２の結合領域（３１４ａ、３１４ｂ、３１６ａ、３１６ｂ）がその上に広がるそれぞれのオーバーハング部（６６ａ、６６ｂ）の部分領域（３２４ａ、３２４ｂ、３２６ａ、３２６ｂ）の、幅（Ｎ）を有する、腹部（４）及び／又は背部（６）のそれぞれの側面領域（３６０ａ、３６０ｂ、３６２ａ、３６２ｂ）に対する割合Ｐ’／Ｎは、少なくとも０．０１、最大で０．３５であることを特徴とする、請求項１〜５の何れか１つに記載の失禁用品。
【請求項７】
全体幅Ｐを有するそれぞれの第２の結合領域（３１４ａ、３１４ｂ、３１６ａ、３１６ｂ）は、幅Ｐ“に対する幅Ｐ‘の割合が１：４から４：１の範囲であるようにして、股部（８）の長手方向縁部（４８）に沿って配列されることを特徴とする、請求項１〜６の何れか１つに記載の失禁用品。
【請求項８】
第２の結合領域（３１４ａ、３１４ｂ、３１６ａ、３１６ｂ）と、その結果としての補強領域（３３４ａ、３３４ｂ、３３６ａ、３３６ｂ）は全体幅Ｐが５〜６０ｍｍであることを特徴とする、請求項１〜７の何れか１つに記載の失禁用品。
【請求項９】
前記第２の結合領域（３１４ａ、３１４ｂ、３１６ａ、３１６ｂ）が一定の全体幅（Ｐ）で長手方向（９）に平行に配列されることを特徴とする、請求項１〜８の何れか１つに記載の失禁用品。
【請求項１０】
前記第２の結合領域（３１４ａ、３１４ｂ、３１６ａ、３１６ｂ）における結合手段（３４０）が表面全体に設けられていないことを特徴とする、請求項１〜９の何れか１つに記載の失禁用品。
【請求項１１】
前記第２の結合領域（３１４ａ、３１４ｂ、３１６ａ、３１６ｂ）における結合手段（３４０）がポイントパターンに配列され、結合手段（３４０）によって取りつけられる表面積の合計が、第２の結合領域がその上に広がる表面積全体に対して、少なくとも１．５％であり、最大で２０．０％の割合になることを特徴とする、請求項１〜１０の何れか１つに記載の失禁用品。
【請求項１２】
横方向（１６）におけるバックシート材料（６２）及び／又はトップシート材料（８４）のオーバーハング部（６６ａ、６６ｂ）が全体で、即ち、吸収体（７）の長手方向縁部（４６）の両側で、股部（８）の最大幅（Ｅ）に対して、少なくとも２５％である、請求項１〜１１の何れか１つに記載の失禁用品。
【請求項１３】
第２の弾性化手段（４０、４２）が失禁用品（２）の縦中心軸（４４）の方向（５６）に２つの側面継ぎ目領域（１４）から広がり、これにより弓形に扇状に展開しながら互いに増大する間隔で延びることを特徴とする、請求項１〜１２の何れか１つに記載の失禁用品。
【請求項１４】
第１の結合領域（３１０、３１２）が接着剤、特にホットメルト接着剤で形成されることを特徴とする、請求項１〜１３の何れか１つに記載の失禁用品。
【請求項１５】
それぞれの第２の結合領域（３１４ａ、３１４ｂ、３１６ａ、３１６ｂ）が吸収体の輪郭の外側に配列されることを特徴とする、請求項１〜１４の何れか１つに記載の失禁用品。
【発明の詳細な説明】
【技術分野】
【０００１】
本発明は、横方向即ち腰回り方向に連続する、腰回り方向に閉じた腰部開口部を有する腹帯及び背帯を形成するために両側の側面継ぎ目領域で製造者側で互いに接続された前腹部及び後背部と、長手方向に前記腹部と前記背部との間に広がり、前記腹部と前記背部で分離不能に結合された吸収体を有する股部と、を有する、身体排泄物の受容のためのパンツ型の失禁用品に関し、股部のみならず腹部と背部もまた失禁用品の脚開口部に結合される。このようにして３つの構成要素から製造される失禁用品は、例えば、国際出願公開第（ＷＯ）２００４／０５２２６０Ａ１号、同０３／０３９４２３Ａ１号、同２００５／０６７８４２Ａ１号、同２００５／０１６２００Ａ１号、及び欧州特許第１３９２２１２Ｂ１号から公知である。この特定の製品コンセプトにおいて、長手方向に腹部まで広がり実質的に横方向即ち腰回り方向に延伸するようにされる股部と、それに対応して展開され、平坦な状態に延伸される背部とを結合した後、これら３つの構成要素は失禁用品のＨ字形の基本構造を作成することができる。この失禁用品は次にモジュール式に上記構成要素である、股部、腹部、及び背部から形成される。これら構成要素は、まず、股部を介して互いに接続されるのが有利であり、その後、腹部が両側の側面継ぎ目領域において背部と接続されるのが好ましい。これは製造者側で実行される接続であり、これによってパンツ形状が得られる。この接続は典型的に分離不能である。しかしながら、このパンツ形状は中でも特に側方の継ぎ目領域において延在してよい所定の破線に沿って、例えば要介護者が使用した失禁用品を取り外すために、分離可能とすることもできる。
【背景技術】
【０００２】
パンツ型の失禁用品は、一般にウエストサイズが予め決められているとともに、異なる身体の大きさへの適合が、多数の基本サイズを基に用品の弾性伸縮性によって達成される点において、従来の開放可能且つ閉鎖可能である通常のおむつ型の失禁用品から原理的に区別される。この目的には、一般的に、ライクラ（Ｌｙｃｒａ）糸と呼ばれる弾性手段が特にバンドや糸の形態で使用されるが、これらの弾性手段は、予め伸長された状態（ストレッチボンド法）で失禁用品のシャシー材料と接続され、即ち上記弾性化手段は予め伸長された状態で上記シャシー材料に例えば接着剤によって固定される。それらの引張りによって、これら弾性化手段はシャシー材料を収縮させ、これによりプリーツ加工を形成する。失禁用品又は該失禁用品の弾性化されたシャシー材料は、ユーザが前記失禁用品を１着のパンツのように着用すると再び弾性的に伸長され得る。このような弾性化されたシャシー材料を有するパンツ型の失禁材料は多くの例で周知であり、例えば、前述した国際出願公開（ＷＯ）第２００４／０５２２６０Ａ１号でも論述される。
【０００３】
本発明に関し、パンツ型の失禁用品を着用させる作業中に、特にシャシー材料の側面領域を係合させる場合に、弾性化手段が設けられたシャシー材料の、ある折り目付け領域において時には崩れることがあり、シャシー材料のねじれを伴うことが理解されてきた。これは、弾性化効果及びその適合性の低下を示し、視覚的印象もまた不都合にも阻害される。
【０００４】
この背景に対して、本発明は、着用時の快適さを損なうことがなく、失禁用品の機能を損なうような結果を生じさせることなく、上記課題を解決することを目的とする。
【先行技術文献】
【特許文献】
【０００５】
【特許文献１】国際出願公開第２００４／０５２２６０Ａ１号
【特許文献２】国際出願公開第０３／０３９４２３Ａ１号
【特許文献３】国際出願公開第２００５／０６７８４２Ａ１号
【特許文献４】国際出願公開第２００５／０１６２００Ａ１号
【特許文献５】欧州特許第１３９２２１２Ｂ１号
【発明の概要】
【発明が解決しようとする課題】
【０００６】
この目的は、本発明に従って請求項１の特徴を有する失禁用品によって達成される。
【課題を解決するための手段】
【０００７】
この失禁用品の有利な展開は各従属請求項によって与えられる。
【０００８】
この場合においては、第１及び／又は第２の結合領域内部の結合手段の配列は表面積全体上を覆うこともある。
第１及び／又は第２の結合領域内部の結合手段の配列はまた、表面積全体を覆って設けられていないこともある。結合領域内の表面全体上で配列されていない結合手段は、好ましくは、結合領域の内部でオーバーハング部形状、ストリップ形状、又は線形配列やまた別のパターン状配列で設けられることも好ましい。表面全体上に配列されていない結合手段の場合、結合領域は、結合手段間に存在する非結合領域をさらに有する。表面全体に配列されていない結合手段を結合領域に対応付けることは、好ましくは、最大１０ｍｍで互いに離間されている結合手段を備えた好ましくは同一の結合手段の反復配列によって決定されることが好ましい。表面全体を覆って配列されていない結合手段の場合、長手方向及び横方向における結合領域の面積範囲は、それぞれ外側の、即ち遠位された隣接する結合手段、若しくは最外部の縁部を介し、想像上の接続線の助けを借りて境界が示される。
【０００９】
第２の結合領域によって形成される補強領域は、長手方向及び横方向において第２の結合領域に対して決定される寸法を有する。
【００１０】
「吸収体の下に」とはここでは、平面に置かれた失禁用品の平面図における横方向及び長手方向に吸収体がその上に広がる面積範囲の位置決めとして理解される。さらに、「吸収体の下の結合領域」とは、Ｚ方向における結合領域の配列を記述し、正確には吸収体と、腹部若しくは背部の内面との間である。
【００１１】
股部、腹部若しくは背部の「内面」はここでは、ユーザの身体に対向するように考慮された構成要素の上部をそれぞれ意味するものと理解される。これに相応して、「外面」は、ユーザの身体とは反対側を向き、結果として衣類に向き合うように考慮される構成要素の上部をそれぞれ意味するものとして理解される。
【００１２】
例えば結合領域及びその部分領域などの定義された領域のような失禁用品の長さ及び／又は幅に対して付与される図は、平らに置かれ展開された平面状態にある失禁用品についての寸法に常に基づいている。
【００１３】
「オーバーハング部」とは、吸収体の長手方向縁部から側方外側の横方向におけるトップシート材料、又はトップシート材料とバックシート材料との範囲を意味するものとして理解され、最大範囲がそれぞれの場合に使用され、すなわちトップシート材料及び／又は吸収体の長手方向縁部から最も遠位に配置されるバックシート材料の外部範囲である。このバックシート材料及び／又はトップシート材料は、多数の構成要素から構成されることが有利であり、このように例えば、トップシート材料が、トップシート材料と、長手方向に沿って両面に隣接するバリア手段との複合体であることが有利である。したがって、複合体の場合においても、独立した層が互いに一致して被覆しない複合されたトップシート材料及び／又はバックシート材料であり、突き出しを考慮すると、複合体の最大外側範囲、又は複合体内部に存在する個々の材料層、すなわち最も遠位された外部範囲がそれぞれの場合に使用されることが理解される。このオーバーハング部はそれぞれ幅Ｈが付与される。
【００１４】
「腹部及び／又は背部の側面領域」とは、ここでは、腹部若しくは背部のそれぞれの長手方向縁部に対する横方向への、股部のそれぞれの長手方向縁部の側方外側への腹部及び／又は背部のシャシー材料の広がりを意味するものとして理解される。この場合において、上述したように、トップシート材料及び／又はバックシート材料の最大範囲、即ち、これらの材料から最も遠位に配置される外部範囲は、股部の長手方向縁部として使用される。腹部及び／又は背部の側面領域はそれぞれ最大可能幅Ｎが付与される。さらに、脚部開口部に対向する腹部若しくは背部の股側部分が、横方向即ち腰回り方向から逸脱し股部の横中心軸の方向に流れる縁部輪郭を有し、このように特にこの縁部輪郭が弓形である場合、最大幅Ｎが常に使用される。すなわち、幅Ｎは常に、股部の長手方向縁部から腹部若しくは背部の長手方向縁部まで横方向に測定される距離であり、これは失禁用品の側面継ぎ目領域を形成する。
【００１５】
本発明によって、この種のパンツ型の失禁用品の構造が以下の主要な利点を伴っていることが認識されている。
【００１６】
第２の結合領域を溶接部位位の形態で形成することは、補強領域を形成する効果を有し、これは、ある領域においてのみ広がりが変化する股部のオーバーハング部の硬化を可能にする。このことは、第１及び／又は第２の弾性化手段が少なくとも長手方向に延びる硬化したパネル間の部分領域に配置され、これは少なくとも横方向に第１及び／又は第２の弾性化手段まで、少なくとも有効な構成要素と共に実質的に横方向に延びる。一の補強領域は第１の硬化パネルを形成する一方、側面の継ぎ目は通常第２の効果パネルとなる。このことによって、この部分領域においてシャシー材料を寄せ集める第１及び／又は第２の弾性化手段の復元力の分布を均一化する好ましい効果が奏される。結果として、プリーツが非常に均一になり、シャシー材料の望ましくないねじれ、及びそれに伴うシャシー材料の制御されていないねじれが抑制される。これは結果として、失禁用品の合い具合に関して好ましい効果を有する。
【００１７】
股部の股部及び背部への接続領域がそれぞれの場合において第１及び第２の結合領域を有するという事実は、股部と腹部若しくは背部との接続を、失禁用品のそれぞれの領域の要件に対して適切に構成し、設計することを可能にする。
【００１８】
吸収体が、少なくとも該吸収体の下のある部分に続く、第１の結合領域によって、失禁用品内部の位置決めが、特に、腹部及び背部の可撓性シャシー材料との関係において安定されることは認識されている。これは、開放式の従来のおむつを装着させるプロセスとは大いに異なる、パンツ型の失禁用品を装着するプロセスの際に失禁用品全体に力が作用する故に、このことは有利である。開放式のおむつは、大きな引張力が作用することなく、相応してユーザの身体上に平坦に装着され次に閉じられる一方で、製造者側で閉じられるパンツ式おむつを装着するとき、例えば脚部の間に引き上げるとき、吸収体及びそれに隣接する層は決してわずかではない変形力に曝される。腹部及び背部のシャシー材料に対する股部の不利な変形、あるいは永久的な大きな変位は、吸収体の下の少なくともある部分のアタッチメントによって防止される。
【００１９】
その際に第２の結合領域がそれぞれオーバーハング部の部分領域上に延在し、股部の長手方向縁部上で通過して腹部と背部とに隣接する部分領域に至るようにすることは有利である。第２の結合領域が股部の長手方向縁部を橋渡しする領域に設けられる事実は、股部の直接長手方向縁部が腹部若しくは背部のそれぞれのシャシー材料に確実に取り付けられることを意味する。これは、股部のオーバーハング部の制御されていない突起、及び結果として硬い箇所となり得る(lead to hard location)制御されていない折り畳みが防止されるために有利である。
【００２０】
さらに、溶接部位(welding location)、特に超音波溶接部位、熱的溶接部位、及び／又はカレンダ溶接部位の形態の結合手段で第２の結合領域を形成することは更なる利点を有する。
つまり、接着材料の使用は、接着材料が縁領域から流出することを防止するために、及びその結果としてこのために失禁用品内部で又は多数の失禁用品間で意図されない領域及び材料の癒着を防止するために、失禁用品が、高速おむつ機械で容易に達成可能ではないが、接着剤の極めて正確な位置決めが要求される機械によって製造される場合においても問題を引き起こす。接着剤の流出はまた、失禁用品の製造中の機械の工具を汚すことにもなる。溶接部位の形態の結合手段の使用は、製造機器によって生じる接着剤の望ましくない流出を回避する効果を有する。さらに、溶接部位の形態の結合手段は、更に付加的材料を導入せずに補強領域を最終的に提供し、コスト削減となる。
【００２１】
特許請求項１の特徴は、要するに、記載された３構成要素構造を備えたパンツ型の失禁用品を提供し、これら構成要素の確実な接続が実現され、従来技術に記載にされた不利益が克服され、正確には、着用快適性や、失禁用品またはその構成要素の機能を損なわず、その代わりに失禁用品の合い具合を大きく改善する。
【００２２】
本発明の発展的展開において、長手方向に沿って考えた場合、第２の結合領域、ひいては補強領域を、腹部及び背部の股対向横縁部から連続して少なくとも股部のそれぞれの長手方向端部まで設けることが有利であると証明されている。
【００２３】
股部の長手方向縁部に沿って前方及び／又は後方の接続領域における長手方向に設けられる第２の結合領域は、それぞれの場合に、互いに対称に配列され、同じ設計を有することが好ましく、その結果、それらは、例えば結合手段の長手方向の広がり、幅、重なり合いの程度、結合手段のタイプ、及び／又は結合手段の配列とそれらの組み合わせの少なくとも１つと一致する。
【００２４】
失禁用品の適用領域及びユーザの移動能力(mobility)に応じて、第２の結合領域を前方及び後方の接続領域において異なるように設計することが有利である。好ましくは、前方及び後方の接続領域における第２の結合領域は、長手方向の広がり、幅、重なり合いの程度、結合手段のタイプ、及び／又は結合手段の配列とそれらの組み合わせの少なくとも１つが異なる。
【００２５】
失禁用品を使用するエリア及びユーザの移動能力に応じて、前方及び後方の接続領域における長手方向の範囲において第２の結合領域を異なるように設計することが有利である。より好ましくは、第２の結合領域が、前方の接続領域よりも後方の接続領域の長手方向の広がりが大きい。
【００２６】
有利な方法において、それぞれの第２の結合領域は、吸収体の輪郭の外側に、即ち、それらの長手方向縁部の外側に配列される。
【００２７】
有利な方法において、第２の結合領域は、横方向のオーバーハング部の延伸された部分領域において、幅Ｐ’が１ｍｍより大きく、好ましくは２ｍｍより大きく、より好ましくは５ｍｍより大きいが、好ましくは６０ｍｍより小さく、より好ましくは５０ｍｍより小さく、さらに好ましくは３０ｍｍより小さく、さらに好ましくは２０ｍｍより小さい。
【００２８】
さらに有利な方法で、幅Ｐ’を有する、第２の結合領域がその上に広がるそれぞれのオーバーハング部の部分領域の、前方及び／又は後方の重なり領域における幅Ｈを有するそれぞれのオーバーハング部の割合Ｐ’／Ｈは、少なくとも０．０１、特に少なくとも０．０４、中でも特に少なくとも０．０７、中でも特に少なくとも０．１０であり、好ましくは最大で０．０９、特に最大で０．０８、中でも特に最大で０．７０、中でも特に最大で０．６０、中でも特に最大で０．５０、中でも特に最大で０．４０である。
【００２９】
このそれぞれのオーバーハング部における結合領域の割合により、オーバーハング部の柔軟性を目立つ程度に損なうことなく、股部へのシャシー形成シェル材料の取り付けを適切に強化することが達成可能となる。
【００３０】
有利な方法において、それぞれのオーバーハング部の幅Ｈは、好ましくは少なくとも１０ｍｍ、中でも特に少なくとも２０ｍｍ、中でも特に２０〜１００ｍｍ、中でも特に２０〜８０ｍｍである。
【００３１】
さらに有利な方法では、第２の結合領域は、１ｍｍより大きく、好ましくは２ｍｍより大きく、より好ましくは５ｍｍより大きく、好ましくは６０ｍｍより小さく、好ましくは５０ｍｍより小さく、より好ましくは４０ｍｍより小さく、より好ましくは３０ｍｍより小さく、より好ましくは２０ｍｍより小さい幅Ｐ”で、横方向における股部の長手方向縁部に隣接する腹部及び／又は背部の部分領域上にそれぞれ延在する。
【００３２】
特に有利であるのは、幅Ｐ”を有する、第２の結合領域がその上に広がる腹部及び／又は背部のそれぞれの部分領域の、幅Ｈを有するそれぞれのオーバーハング部に対する割合Ｐ”／Ｈは、少なくとも０．０１、特に少なくとも０．０４、中でも特に少なくとも０．０７、中でも特に少なくとも０．１０であり、好ましくは最大で０．９０、中でも特に最大で０．８０、中でも特に最大で０．７０、中でも特に最大で０．６０、中でも特に最大で０．５０、中でも特に最大で０．４０である。
【００３３】
有利には、第２の結合領域、ひいては補強領域は、全体幅Ｐが５〜６０ｍｍ、特に１０〜５０ｍｍ、中でも特に１０〜４０ｍｍ、中でも特に１０〜３０ｍｍである。
【００３４】
特に有利であるのは、幅Ｐ”を有する、第２の結合領域がその上に広がる腹部及び／又は背部のそれぞれの部分領域の、幅Ｎを有する腹部及び／又は背部のそれぞれの側面領域に対する割合Ｐ”／Ｎが、少なくとも０．０１、特に少なくとも０．０１５、中でも特に少なくとも０．０２０であり、好ましくは最大で０．３５、特に最大で０．３０、中でも特に最大で０．２５、中でも特に最大で０．２０、中でも特に最大で０．１５、中でも特に最大で０．１０である。
腹部及び／又は背部のそれぞれの部分領域において、第２の結合領域ひいては補強領域のこの割合は、達成すべき適切な補強を可能とし、これらのシャシー材料及びそこに固定されるそれらの弾性化手段の可撓性及びそれらが大きな表面領域上で作用する手段を損なうことはない。
【００３５】
有利な方法で、幅Ｐ’を有する、第２の結合領域がその上に広がるそれぞれのオーバーハング部のそれぞれの部分領域の、幅Ｎを有する腹部及び／又は背部のそれぞれの側面領域に対する割合Ｐ’／Ｎは、少なくとも０．０１、特に少なくとも０．０１５、中でも特に少なくとも０．０２０であり、好ましくは最大で０．３５、特に最大で０．３０、中でも特に最大で０．２５、中でも特に最大で０．２０、中でも特に最大で０．１５、中でも特に最大で０．１０である。
【００３６】
有利な方法で、横方向に延伸する腹部及び／又は背部のそれぞれの側面領域は、好ましくは幅Ｎが少なくとも１００ｍｍ、より好ましくは少なくとも１２０ｍｍ、特に１２０ｍｍ〜３５０ｍｍ、中でも特に１２０ｍｍ〜３２０ｍｍで延伸する。
【００３７】
有利な方法で、全体幅Ｐを有する第２の結合領域は、幅Ｐ”に対する幅Ｐ’の割合が好ましくは、１：４及び４：１の間、より好ましくは１：３及び３：１の間、さらに好ましくは１：２及び２：１の間、特に好ましくは１：１であるように、股部の長手方向縁部に沿って配列される。
【００３８】
さらに有利な方法で、第２の結合領域は、一定の全体幅Ｐを有し、長手方向に平行に配列される。これにより、第２の結合領域は、技術的に単純な方法で、ひいてはまた、より迅速により低費用で失禁用品内に取り込まれることができる。
【００３９】
さらに有利な方法で、第２の結合領域における結合手段は、該結合手段によって得られる取り付けられた表面領域、正確には溶接位置が内側から外側の方向に配向されるように、股部ひいては腹部及び／又は背部の内側から取り込まれている。しかしながら、結合手段は、特に溶接部位が腹部及び／又は背部の外側まで押し付けられないように取り込まれており、その結果として知覚できなかったり、又はほとんど知覚できなかったりすることになる。
【００４０】
有利な発展的展開において、第２の結合領域における結合手段は表面全体上に設けられる。このようにして、第２の結合領域は、技術的に単純な方法で、ひいてはてさらに低費用で失禁用品内部に取り込まれる。
この好ましい実施形態において、結合手段によって取り付けられる表面積は、第２の結合領域によって包囲される表面積全体の１００％の割合を有する。
【００４１】
さらに有利な発展的展開において、第２の結合領域における結合手段は表面領域全体に設けられていない。特に、第２の結合領域内部の結合手段は、パターン形状で、特にオーバーハング部及び／又はストリップ状及び／又は線状配列及び／又はまた別のパターン状配列及び／又はそれらの組み合わせの形態で設けられる。その結果、第２の結合領域の硬化率は有利に設定される。上記のように、硬化は、適合性に関して有利な効果を有するが、硬化剤が多すぎると、快適性のない硬い場所となることがある。
【００４２】
さらに有利な方法において、第２の結合領域における表面領域全体上に配列されていない結合手段の合計は、第２の結合領域が広がる表面領域全体に対する割合が少なくとも１．５％、特に少なくとも２．０％、中でも特に少なくとも２．５％、好ましくは最大でほぼ６０％、中でも特に最大で５０％、中でも特に最大で４０％、中でも特に最大で３０％、中でも特に最大で２０％の取り付けられた表面積（結合部位）と仮定する。
【００４３】
特に有利な方法において、第２の結合領域における結合手段は、ポイントパターンで配列され、結合手段（結合部位(joining locations)）によって取り付けられる表面積の合計は、第２の結合領域が広がる表面積全体に対する割合が少なくとも１．５％、特に少なくとも２．０％、中でも特に少なくとも２．３％、中でも特に少なくとも２．５％であり、好ましくは最大で２０．０％、好ましくは最大で１５％、中でも特に最大で１０．０％、中でも特に最大で８．０％、中でも特に最大で７．０％、中でも特に最大で６．０％であると思われる。
さらに有利な方法で、第２の結合領域においてポイントパターンの単一の結合手段によって取り付けられる表面積の直径は、少なくとも０．２ｍｍ、特に少なくとも０．３ｍｍ、中でも特に少なくとも０．４ｍｍ、中でも特に少なくとも０．５ｍｍであり、好ましくは最大で２．５ｍｍ、特に最大で２．０ｍｍ、中でも特に最大で１．５ｍｍ、中でも特に最大で１．２ｍｍ、中でも特に最大で１．０ｍｍである。
特に、ポイントパターンに存在する隣接する独立した結合手段は、１〜１０ｍｍ、特に１〜８ｍｍ、中でも特に１〜６ｍｍ、中でも特に１〜５ｍｍ、中でも特に１．５〜４．５ｍｍ、中でも特に２〜４ｍｍの間隔をおいてそれぞれ配置され、特に好ましくは同一距離にある。
【００４４】
第１の結合領域については、非接着性結合手段が有利に使用され、特に、溶接部位の群、中でも特に超音波溶接部位、熱的溶接部位及び／又はカレンダ溶接部位から選択された手段が有利に使用される。さらに、第１の結合領域における結合手段として接着剤、特にホットメルト接着剤を使用することが特に有利であることが証明されている。中でも特に、接着剤又はホットメルト接着剤は疎水性を有する。これは、接続機能に加えて液体障壁が同時に形成されるため有利である。
【００４５】
第１の結合領域において、表面領域全体にはない接着剤の塗布によって股部を腹部及び／又は背部に接続させることが有利であり得る。表面領域全体にはない接着剤の塗布は、例えば帯状のパターン、ウェブ状の連続若しくは非連続の格子構造、島形状の領域、又は帯状若しくは渦巻状に配置された接着剤構造であってもよい。
【００４６】
さらに、第１の結合領域において表面領域全体における接着剤の塗布を利用することは特に有利であることが証明されている。これは、それ自体がねじれに対して剛直な吸収体を有する股部の腹部及び／又は背部のやや高可撓性のシャシー材料に対する最適な取り付けをもたらし、相互に望ましくない構成要素の位置ずれを防止する。
【００４７】
有利なことには、第１の結合領域は、少なくとも吸収体の長手方向縁部まで該吸収体の下に延伸するが、股部の長手方向縁部前に終了する。さらに有利なことには、第１の結合領域は、それぞれの第２の結合領域との重なりが得られるように上記吸収体の長手方向縁部上で横方向に延在する。
【００４８】
腹部及び／又は背部のシャシー形成材料は、好ましくは不織材料、例えばスパンボンデッド不織布（Ｓ）、メルトブローン不織布（Ｍ）、ＳＭ不織布、ＳＭＳ不織布、ＳＭＭＳ不織布、カルデン不織布、又はスルーエア・ボンデッド・カルデン不織布を有する。特に好ましくは、腹部及び／又は背部のシャシー材料はスパンボンデッド不織布を有する。腹部及び／又は背部に使用される不織布材料は、好ましくは坪量１０〜３０ｇ／ｍ２、より好ましくは１５〜２５ｇ／ｍ２を有する。特に好ましくは、腹部及び背部は、特に坪量１５〜２５ｇ／ｍ２のポリプロピレンから成るスパンボンデッド不織布を有する。
【００４９】
股部の形成のために、バックシート材料若しくはトップシート材料は、具体的には１０〜４０ｇ／ｍ２及び５〜２０ｇ／ｍ２の低坪量を有するものが好ましく使用される。これにより有利には、失禁用品のユーザに対してこうした敏感な身体部位で望まれている柔らかさ、適合性、及びドレープ性が実現される。
【００５０】
股部のシャシー形成シェル材料はさらに以下のように形成されるのが有利である。すなわち、バックシートは特に、坪量１０〜４０ｇ／ｍ２の被膜を有する。特に、バックシートは、使用中は液体不透過性であり同時に通気性があり、つまり水蒸気透過性の、特に微細孔の被膜を有する。バックシートの水蒸気透過性は、ＤＩＮ  ５３  １２２−１（発行：２００１−０８）によって測定され、特に少なくとも３００ｇ／ｍ２／２４ｈ、更に特に少なくとも１０００ｇ／ｍ２／２４ｈ、中でも特に少なくとも２０００ｇ／ｍ２／２４ｈ、中でも特に少なくとも３０００ｇ／ｍ２／２４ｈ、中でも特に少なくとも４０００ｇ／ｍ２／２４ｈ、さらに最大で６０００ｇ／ｍ２／２４ｈである。
【００５１】
この被膜は、さらに不織布被覆が設けられていることが有利であり、これにより、失禁用品の身体から離れる外側は繊維製品のように見える。不織布被覆は、好ましくは不織布材料、特にポリプロピレンのスパンボンデッド不織布から構成され、その坪量は７〜２５ｇ／ｍ２、１０〜２０ｇ／ｍ２、特に１２〜１７ｇ／ｍ２である。
【００５２】
トップシート材料は好ましくは、不織布材料、例えば、スパンボンデッド不職布（Ｓ）、メルトブローン不織布（Ｍ）、ＳＭ不織布、ＳＭＳ不織布、ＳＭＭＳ不織布、カルデン不織布、又はスルーエア・ボンデッド・カルデン不織布を有する。
【００５３】
この場合、トップシート材料は、好ましくは、トップシート材料からのみ形成されてもよい。より好ましくは、トップシート材料は、トップシート材料とバリア手段の複合体であってもよい。さらに有利な形態において、トップシート材料は、長手方向縁部と隣接する長手方向縁部領域を有する液体透過性トップシート材料、及び結合領域でトップシート材料の両側の長手方向縁部若しくは長手方向縁部領域に結合される疎水性バリア手段の複合体である。この複合体は、領域ごとに異なる要求事故運尾プロファイルを有する失禁用品を提供するが、特徴的なものとして、中央領域では液体を吸収させ、周縁領域では液体が側方に流出するのを遅らせることがある。
【００５４】
機能性に対応して、以下に示される有利な材料が使用される。すなわち、トップシート材料は好ましくは不織布材料、例えばスパンボンデッド不織布、カルデン不織布やスルーエア・ボンデッド・カルデン不織布を有する。特に好ましくは、トップシート材料はスパンボンデッド不織布を有する。より有利なことに、トップシートに使用される不織布材料の坪量は５〜２０ｇ／ｍ２、８〜２０ｇ／ｍ２、より好ましくは１２〜１６ｇ／ｍ２である。特に好ましくは、トップシートは、特に坪量が１２〜１６ｇ／ｍ２であるポリプロピレンから成る親水化スパンボンデッド不織布を有する。
【００５５】
バリア手段の材料は好ましくは、不織布材料を有し、例えばスパンボンデッド不織布、メルトブローン不織布、カルデン不織布やスルーエア・ボンデッド・カルデン不織布である。特に好ましくは、バリア手段の材料は１層又は複数層の不織布を有する。特に好ましくは、バリア手段の材料がスパンボンデッド不織布（Ｓ）及び／又はメルトブローン不織布（Ｍ）の１層以上の積層体、特にたとえばポリエチレンやポリプロピレンのようなポリオレフィンに基づくＳＭＳ積層体又はＳＭＭＳ積層体を有する。この種の材料は安価であり、それらの固有の疎水性に基づき、液体浸透遅延効果(liquid-retardant effect)を奏する故に好ましい。
さらに有利には、バリア手段に使用される非不織布材料は、坪量が５〜２０ｇ／ｍ２、好ましくは８〜２０ｇ／ｍ２、より好ましくは１０〜１８ｇ／ｍ２である。特に好ましくは、バリア手段は、特にポリプロピレンから成るスパンボンデッド不織布及びメルトブローン不織布層から成る坪量が１０〜１８ｇ／ｍ２の積層体を有する。
【００５６】
他の構成において、疎水性バリア手段は、トップシートの長手方向縁部上で広がり、正確には、それぞれの場合において直立した典型的にはカフ要素若しくは脚帯要素(leg-band)と称される吸収体の両側で長手方向にそれぞれ続くバリア手段を形成することになる。バリア手段の遠位端は弾性化手段が設けられていることが有利である。このようにして、バリア手段は失禁用品の使用中にユーザの皮膚表面に対して持ちあげられる。
【００５７】
トップシート材料複合体の結合領域における材料ウェブの固定は、好ましくは接着剤、特にホットメルト接着剤、熱的カレンダ（サーモボンディング）若しくは超音波溶接を利用して行うこともできる。この固定は、連続する結合部位の形態で大きな結合力をトップシート材料とバリア手段との間で達成するために実行することができる。ここでは実線が考えられる。しかしながら、断続的に付与された結合領域による、すなわち不連続な結合点又は結合線又はその他の結合パターンによる結合も考えられ且つ有利である。
【００５８】
バックシート材料及びトップシート材料は、横方向に同じ広がりを有することが有利である。それらは互いに合同である。しかしながら、バックシート材料及びトップシート材料が互いに一致していない場合もまたさらに有利である。バックシート材料はトップシート材料に比較して横方向の範囲が狭いのが特に有利である。このように、ユーザの着用快適性を低下させる可能性のある例えば被膜のようなバックシート材料が、皮膚に優しいトップシート材料の不織布材料によって被覆される。
【００５９】
本発明の発展的展開において、股部の表面領域によって構成される失禁用品の表面積全体の割合は、２５〜５５％、特に３０〜４７％、中でも特に３５〜４７％、及び中でも特に３５〜４５％である。
【００６０】
本発明の発展的展開において、股部と腹部との間の重なり領域は、股部が腹部の表面積の１５〜４０％、特に１５〜３５％、中でも特に１５〜２５％で重なり合うように形成されている。有利な方法において、股部は２５０００−４５０００ｍｍ２の表面積で腹部と重なりあう。
【００６１】
本発明の発展的展開において、股部と背部との重なり領域は、股部が背部の表面積の２０〜４０％、特に２０〜３５％、中でも特に２２〜３２％が重なりあうように形成される。有利な方法において、股部は、３５０００〜６５０００ｍｍ２、特に４００００〜５５０００ｍｍ２の表面積で背部と重なりあう。
【００６２】
股部と背部との重なりあいは、股部と腹部との重なりあいよりも大きいことが有利である。
【００６３】
本発明による失禁用品の形態の場合、吸収体がさらに、腹部の表面積の５〜２０％、特に５〜１５％で重なりあい、さらに／あるいは背部の表面積の１０〜２０％、特に１０〜１５％で重なり合ってよく、また、有利である。
【００６４】
長手方向における側面継ぎ目領域の腹部及び背部の範囲は、有利には少なくとも１００ｍｍ、特に少なくとも１５０ｍｍ、及び特に１５０ｍｍ〜２５０ｍｍである。
【００６５】
長手方向における腹部及び背部間の最小距離は、２５０〜４００ｍｍであることが有利である。
【００６６】
横方向における股部の最大範囲、即ち最大幅Ｅは、少なくとも２００ｍｍ、特に２００〜３５０ｍｍ、中でも特に２５０〜３２０ｍｍであることが有利である。
【００６７】
さらに、横方向におけるバックシート材料及び／又はトップシート材料のオーバーハング部が全体で、すなわち吸収体の長手方向縁部両側で、股部の最大幅Ｅに対して、少なくとも２５％、特に２５〜５０％、中でも特に３５〜４５％である場合が有利であることが証明されている。吸収体の両側におけるバックシート材料及び／又はトップシート材料の比較的大きなオーバーハング部は、そのため、比較的狭い吸収体を有する幅広の股部を意味する。これにより、脚部開口部に沿って延伸するようにされ、嵩のある、それゆえに剛直な吸収体から比較的に長い距離をおいた脚部弾性化手段を股部に設けることが可能になる。これは、股部の両側の脚部開口縁部の封止性及び適合性が良好な結果となる。これは、薄いシャシー材料と比較してねじれに対して剛直な吸収体がこのように液密の脚部終端の形成に対し、妨げになることが殆どないという理由からであり、したがって、極めて高い張力を作用させて液密の脚部終端を形成することは必要ではなく、これは失禁用品の着用快適性に関するポジティブな効果を有する。
【００６８】
発明の他の形態においては、脚部弾性化手段が、長手方向において第２の弾性化手段よりも少なくとも１０ｍｍ、特に少なくとも２０ｍｍ手前で終了する場合に特に有利であることが証明されている。脚部弾性化手段は、長手方向に沿って腹部及び／又は背部よりも手前で終了する場合に特に有利である。これらによって付加される引張力及び復元力は、したがって第２の弾性化手段の引張条件に影響を及ぼさない。引張条件は、第２の弾性化手段が扇形に展開するよう設けられる、脚部開口部に対向する腹部及び背部の股側領域内部で特に影響されることはない。
【００６９】
脚部弾性化手段として好ましく使用されるのは、ゴム又はポリエーテルポリウレタンやポリエステルプリウレタンの糸のような、糸状又は帯状の弾性化手段、好ましくはライクラ（登録商標）糸、クレオラ（登録商標）糸、若しくはスパンデックス（登録商標）糸などの弾性糸が使用される。脚部弾性化手段は好ましくは、厚さ３００〜１５００ｄｔｅｘ、特に５００〜１２００ｄｔｅｘ、中でも特に５００〜９００ｄｔｅｘを有する。脚部弾性化手段は、好ましくは待ち部のシャシー形成シェル材料の下に予応力１．５から６．０、特に２．５から４．５で固定される。この予応力は、弾性化手段の非伸長／弛緩した状態に対する伸長率の係数として定義されている。
【００７０】
腹部及び背部の領域弾性化に対して、第１の弾性化手段はそれぞれ互いに離間され、横方向即ち腰回り方向に互いに平行に延伸するようにされて設けられる。好ましくは、これらは同じ予応力を有し、脚部上と同様に領域における腹部及び背部の領域上の連続する均一な弾性化に対して実質的に寄与する。しかしながら、第１の弾性化手段が、腰部の周囲にいくらか強い弾力性を実現するために、腰部の上縁部領域においてより強い予応力を有し、又はこれら多数の弾性化手段が密に離間されて設けられることが可能である。
【００７１】
本発明のなお他の形態において、脚部に対向する腹部及び背部の上記股側領域における引張条件が着用快適性に関して本質的であり、着用快適性が改良されるように形成され得ることがさらに認識されている。有利には、第２の弾性化手段が失禁用品の縦中心軸の方向に２つの側面継ぎ目領域から広がり、これにより、弓形に展開して互いに間隔が拡大しながら延びる。
【００７２】
このために、脚部に対向する股側領域において第２の弾性化手段が長手方向中心軸の方向に沿って扇形に広がるのであるが、前記股側領域は、この領域がその表面領域上で伸長されるとき、これにより発生する復元力が股部の方向に減少するように形成されることが好ましい。
【００７３】
脚部開口部に対向する腹部及び背部の股側領域がこのように、それぞれの側面継ぎ目領域から股部の方に向かう方向、即ち、失禁用品の縦中心軸の方向に第２の弾性化手段の弓形に展開する方向においてある程度正確であると考えられる場合、表面領域上に引き伸ばされるときにこの方向に発生する復元力が減少される。ここで関連する力は、したがって、腹部及び背部が表面領域上の伸長力に抵抗する力である。この復元力の減少は、当然ユーザに伝達され、失禁用品の着用快適性を著しく改善することによって達成される。
【００７４】
更に、股部の方向において失禁用品の横方向において形成される折り目のセンチメートル当たりの数を減少させることにより、脚部開口部に対向する腹部及び背部の上記股側領域における復元力を減少させるならば、特に有利であることが証明されている。このようにして、腹部や背部において生じた弾性力によってシャシー材料に幾重にも折り目を発生さえることなく、腹部や背部を体型に対応するように伸張させることができる。股部の方向における復元力の減少が、表面領域上の伸長の結果として生成される力が股部へ近接するにつれて小さくなることを意味することは、この点において再び説明されるべきである。したがって、表面領域上の伸長の結果としての復元力は、股部により近い領域よりも側面継ぎ目領域のほうが大きい。
【００７５】
上記伸長条件は、例えば、脚部開口部に対向する股側領域において横方向に異なる弾性の材料を用いてさまざまな方法で達成することができるが、前記脚部開口部には、第２の弾性化手段がさらに設けられる。股部に近付くにつれて、換言すれば長手方向中心軸の方向に沿って外側から内方に向かって第２の弾性化手段の予応力を減少させることもまた理解し得る。さらに、平面的な伸長時の復元力の減少は、第２の弾性化手段の間隔が互いに増加することによって達成されることも理解されるが、ここで、これが弾性化手段による扇形ラインの結果としての予応力の大きな増加によって補償されず、増加する復元力の方向に沿って更に減少する(exceeded)ことを確実に理解する必要がある(it having to be ensured here that)。
【００７６】
復元力を決定するために、測定されるシャシーの領域は、直接、いわば非破壊式に規定された、同一締め付けジョー幅の２つの締め付けジョーの間に固く閉め付けられ、さらに、復元力が規定された、使用状態を模擬する被測定領域の伸長時に、特に初期長さ（非締め付け状態における被測定領域の固定時の締め付けジョー間隔）の３０％又は５０％又は８０％で決定することができる。上記締め付けジョーは、可能な限り多くの、しかしながら少なくとも２つの隣接して配置される、被測定領域の弾性化手段を固定すべきであり、実質的に弾性化手段の延びに対して直角に配位されるべきであり、その結果、締め付けジョー間の伸長が実質的に弾性化手段の延びの方向に生じる。
【００７７】
側面継ぎ目領域において２つの弾性化手段の最小間隔（直接隣接して配置される弾性化手段の間隔）が３〜８ｍｍ、特に３〜７ｍｍ、中でも特に３〜６ｍｍである場合に有利であることが証明されている。
【００７８】
さらに、吸収体縁部又は町部の長手方向縁部において２つの弾性化手段の最大間隔（直接隣接して配置される弾性化手段の間隔）が７〜３５ｍｍ、特に１０〜３２ｍｍ、中でも特に１２〜３０ｍｍである場合に有利であることが証明されている。
【００７９】
さらに、第２の弾性化手段が広がり率(degree of fanning out)Ｆ（以下式）が、５０〜９００％、特に１００〜７００％、及び中でも特に１５０〜５５０％を有する場合に有利であることが証明されている。
Ｆ＝（Ａ−Ｂ）／Ｂ＊１００％
【００８０】
広がり率Ｆは、最小間隔（Ｂ）に対する間隔減少（Ａ−Ｂ）の比として百分率で定義されている。ここで、変量Ａ及びＢは、長手方向に最も内側の第２の弾性化手段から長さ方向に最も外側の第２の弾性化手段の間隔（即ち、直接隣接しておかれる第２の弾性化手段の間隔ではない）として定義され、正確には、Ａは、特に股部の長手方向縁部又は吸収体縁部での最大間隔として、及び、Ｂは特に側面継ぎ目領域での最小間隔として定義されている。第２の弾性化手段の広がり率Ｆが腹部よりも背部の方がより大きい場合に有利であることが証明されている。
【００８１】
ユーザの背部領域又は腹部領域の自然な体形において、ここで扱われている問題が典型的に背部領域又は臀部領域においてより重要であることが証明されている。このために、第２の弾性化手段相互の最大間隔が背部での吸収体縁部で腹部よりも大きい場合に有利であることが証明されている。
【００８２】
有利な実施形態において、それぞれの第２の結合領域、ひいては補強領域は、股部の長手方向端部の方向に腹部と背部の股側横縁部から長手方向に考えられるときに、正確には、失禁用品の縦中心軸の方向の側面継ぎ目領域から弓形に延び、特に間隔を増大しながら展開し股部の長手方向縁部で終了する第２の弾性化手段により結果として被覆される長さまで広がる。さらに有利には、それぞれの第２の結合領域と、ひいては補強領域は、長手方向において、少なくとも弓形に延び特に展開する第２の弾性化手段が開始する側面継ぎ目領域の高さを有する想像水平線の水準の配置と一致する長さまで考慮されるときに、腹部及び背部の股対向横縁部から延伸する。最初に述べたように、第２の結合領域によって設けられる補強領域による剛直化は、合い具合に関して有利な効果を有する。
【００８３】
第２の弾性化手段が一方の側面継ぎ目領域から他方の側面継ぎ目領域へ一貫して広がり、これは特に連続する製造方法への取り込みが「カット・アンド・プレイス」プロセスと比較して簡単であることも十分考えられ得る。腹部及び背部によって股部が覆われる結果、設計にも依るが、腹部及び／又は背部によって嵩の大きな吸収体が覆われ、その結果、第２の弾性化手段が延びる脚部に対向する腹部及び背部によって股側領域が覆われる。この嵩の大きい吸収体は、その際に通常、シャシー材料の弾力的伸長性を阻止する。さらに、嵩の大きい吸収体が付加的な引張り力に曝されるならば必ずしも有利ではない。したがって、第２の弾性化手段が、股部の吸収体との重なり領域において、その弾性的性質が発揮されないようにするならば有利であることが証明できる。弾性的性質が発揮されないようにすること(deactivation)は、例えば吸収体を有する覆い部の領域での第２の弾性化手段による複数の分離切断によって実現される一方で、その他の例えば超音波溶接又はレーザーなどを利用するような分離方法もまた考えられ得る。
【００８４】
第１の弾性化手段もまた、吸収体を有する覆い部の領域においてその弾性的性質が発揮されないようにする(be deactivated with regard to heir elastic properties)ことができることが述べられる。
【００８５】
失禁用品の全体寸法に関して、背部の相応する股に対向する側の最内部の第２の弾性化手段から腹部の股に対向する側の最内部の第２の弾性化手段の間隔（Ｃ）が２５０〜４２０ｍｍであれば有利であることが証明されている。
【００８６】
脚開口部に対向する腹部及び背部の股側領域の、脚開口部を制限する、縁部輪郭から最内部の股に対向する側の第２の弾性化手段の間隔は、好ましくは２〜４０ｍｍ、より好ましくは３〜３０ｍｍ、特に好ましくは４〜１５ｍｍになる。
【００８７】
第１及び／又は第２の弾性化手段として好ましく使用されるのは、ゴム糸又はポリエーテルポリウレタン糸又はポリエステルポリウレタン糸のような糸状や帯状の弾性化手段、好ましくは、ライクラ（登録商標）糸、クレオラ（登録商標）糸、スパンデックス（登録商標）糸のような弾性の糸である。第１及び／又は第２の弾性化手段は好ましくは、厚さ３００〜１５００ｄｔｅｘ、特に５００〜９００ｄｔｅｘ、中でも特に５００〜６００ｄｔｅｘを有する。第１及び／又は第２の弾性化手段は、好ましくは予応力１．５〜６．０、特に２．５から５．０で、腹部及び背部のシャシー形成シェル材料上に固定される。この予応力は、弾性化手段の非伸長／弛緩した状態に対する伸長率の係数として定義されている。
【００８８】
それにもかかわらず、腹部及び背部が少なくとも吸収体の外部で長手方向にわたって実質的に一貫して平面的に横弾性化されている場合に有利であることが証明されており、このような場合も有利な引張り条件が維持又は実現されている。
【００８９】
吸収体は、天然または合成繊維、特にセルロース繊維のような、好ましくは繊維素綿毛の形態で体液を吸収する材料を有する。好ましくは、吸収コアは、中でも特に表面架橋された部分中和ポリアクリレートを基材とする超吸収性材料（ＳＡＰ）を有する。
【００９０】
股部、又は脚開口部を制限する上記股部の長手方向縁部は、有利には、弓状に輪郭を付けて形成されている。
【００９１】
発明のさらなる特徴、詳細、利点は、添付の特許請求の範囲及び図面の表示及び発明に係る失禁用品の好ましい実施形態の以下の説明から提供される。
【図面の簡単な説明】
【００９２】
【図１】図１は、失禁用品の腹部、背部、及び両者を接続する股部がまだパンツ型の形成により結合されておらず、平らに置いた且つ展開した状態で示されている本発明に係る失禁用品の平面図である。
【図２】図２は、図１の切断面ＩＩ−ＩＩにより、股部と該股部に取り付けられるこれらの横中心軸に沿った断面図（模式図）である。
【図３】図３は、細部の形態において図１に示される失禁用品の第２の結合領域を示す図である。
【図４】図４は、図３の切断面ＩＶ−ＩＶによる、第２の結合領域の断面図（模式図）である。
【図５】図５は、図１の切断面Ｖ−Ｖによる、股部の横中心軸に沿った断面図（模式図）である。
【図６】図６は、図１に図示された失禁用品をユーザに装着した斜視図（模式図）である。
【図７】図７は、細部の形態において図１に図示された失禁用品を示す図である。
【図８】図８は、失禁用品の腹部及び背部における復元力の決定を一例として示す図である。
【図９】図９は、失禁用品の腹部及び背部における復原力の決定を一例として示す図である。
【図１０】図１０は、股部が腹部にまず接続されるのみである、平らに置いた且つ展開した状態の失禁用品を概略図示した平面図である。
【発明を実施するための形態】
【００９３】
これらの図面は、全体的に参照符号２で示された、固体及び液体の身体排泄物の受容のためのパンツ型失禁用品を示す。失禁用品２は、最大範囲で互いに独立して製造され、具体的には、前腹部４、後背部６、及び、上記腹部と上記背部との間に配置され吸収体７を有する股部８の３つの構成要素によって形成され、上記股部８は、一方で腹部４の表面積と他方で背部６の表面積の本質的割合で重なり領域で製造者側で分離不能に接続される。図１から明らかなように、これは、長手方向９を有する失禁用品のＨ字形の基本構造となる。図６に概略的に図示されたパンツ型を形成するために、図１に示される結合された構成要素は、次に腹部４及び背部６のそれぞれ側方の長手方向縁部１０、１２で同様に製造者側で互いに接続され、それによって両側に側面継ぎ目領域１４（図６）が形成される。製造者側で製造されるパンツ型の失禁用品の状態で、腹部４及び背部６は横方向即ち腰回り方向１６へ連続して側面継ぎ目領域１４まで広がり、そのように腰回り方向に閉じた腰部開口部１８、及び脚開口部１９を画定し、それらを通してユーザは失禁用品をブリーフのように着用する。
【００９４】
腹部４は、腰側領域２０と、脚開口部に対向する股側領域２２とに区別することができる。対応する区分は背部６に設けられ、正確には、腰側領域２４と、脚開口部に対向する股側領域に設けられる。
【００９５】
腹部４の腰側領域２０、及び背部６の腰側領域２４に、第１の弾性化手段２８が設けられ、これは特に予め伸長した状態で、所謂ストレッチボンディング法で腹部４及び背部６の平坦材料（シャシー材料）に接続されたライクラ（登録商標）糸などの糸状の弾性化手段であってもよい。これらの第１の弾性化手段２８は、一方の側面継ぎ目領域１４から他方へ横方向即ち腰回り方向に延伸する。
【００９６】
腹部４の脚開口部１９に対向する股側領域２２と、背部６の対応する領域２６は、横方向即ち腰回り方向１６から逸脱し股部８の横中心軸３０の方向に流れる縁部輪郭３２、３４を夫々有する。図１に示した表示において、この縁部輪郭３２、３４がまた弓状であり、そのため脚開口部１９を画成するのに好適である。脚開口部に対向する股側領域２２又は２６の形状はまた、股部８と腹部４又は背部６との間に比較的大きい重なり領域３６を生成し、これは、股部８と腹部４又は背部６との耐裂性接続に関して本質的である。
【００９７】
腹部４と背部６の脚開口部１９に対向するそれぞれの股側領域２２、２６は、同様に弾性化された形態とされている。そこに、第２の弾性化手段４０及び４２がそれぞれ設けられている。第２の弾性化手段４０、４２はそれぞれ、側面継ぎ目領域１４から失禁用品の縦中心軸４４の方向へ広がる。図１及び図７から判るように、第２の弾性化手段４０、４２は縦中心軸４４の方向へ扇形に広がる。これは、それらの間の間隔が縦中心軸４４の方向へ増加することを意味する。第２の弾性化手段４０、４２の上記扇形展開はまた、図７に基づいてより正確に、且つ定量的に特定できる。たとえば、図７に示される背部６の第２の弾性化手段４２は、側面継ぎ目領域１４で相互に３〜８ｍｍの最小間隔（直接並んで配置される弾性化手段の間隔）、及び吸収体の縁部４６や股部８の長手方向縁部４６に相互に７〜３５ｍｍの最大間隔（直接並んで配置される弾性化手段の間隔）を有する。図７に基づいて広がり率Ｆは以下のように定義することもできる：
【００９８】
Ｆ＝（Ａ−Ｂ）／Ｂ＊１００％
【００９９】
この扇形広がり率は、有利には５０及び９００％の間、特に１００及び７００％の間、中でも特に１５０及び５５０％の間に位置することができる。前記扇形広がり率は、腹部４より背部６のほうが大きいことが有利である。変量Ａ及びＢは、長手方向９における最内部の第２の弾性化手段４０、４２から長手方向９に最外部の第２の弾性化手段４０、４２の間隔（即ち、直接並んで配置される弾性化手段の間隔ではない）として定義され、正確には、Ａは、特に股部８の長手方向縁部４８での最大間隔として、さらにＢは特に側面継ぎ目領域１４における最小間隔として定義されている（図７参照）。
【０１００】
第２の弾性化手段４０、４２において扇形広がり率が十分大きく選択されるならば、第２弾性化手段４０、４２の経路が長い結果、この第２弾性化手段４０、４２における腰部領域即ち横方向領域１６から遠ざかる弓形の形状によって復元力の増加が過剰にならないことが保証される限り、脚開口部１９に面する股側領域２２，２６の復元力の減少を実現できる。側面継ぎ目領域１４よりも近くに位置している該当する股側領域２２、２６の領域５０は、股部８により近く位置する領域５２と共に考慮される場合、領域５２の平面的な伸長（弾性化手段４２の方向への伸長）のもとで発生する復元力が領域５０の伸長時に発生する復元力よりも小さい。これは有利なことには、一例によって示される場合において第２の弾性化手段４０、４２によって付加されるより小さい弾性力の結果として、腹部４及び背部６のシャシー材料はあまり強く縮められず、その結果、より少ない数の折り畳み／フリル５４が、正確には、各側面継ぎ目領域１４から股部８の方向に生じる。腹部４の平面的な伸長時に腹部４の脚開口に対抗する股側領域２２、若しくは背部６の相当する部分２６で発生する復元力が矢印５６の方向へ減少し、即ち一般的に復元力が側面継ぎ目領域１４から股部８の方向に減少するという事実は、−確認されたように−弾力的に伸長可能な材料が人間の体系の外面的特色に応じて上記領域で特に引張り及び伸長で付加されるために特に問題であることが証明されているために、着用快適性のかなりの改善が達成される。上記復元力の意識的な有利にもたらされた減少、即ち、矢印５６の方向の方向へ、つまり股部８に近接する方向へ減少する復元力によって、それまで実現されなかった自由度を付与する効果を有する。
【０１０１】
最初に述べたように、復元力は失禁用品のシャシー上で直接決定することもできる。このために、腹部４若しくは背部の該当領域は、規定された同一の締め付け時のジョー間隔（ｂ）の２つの締め付けジョー１０２、１０４（図８及び図９参照）間に締め付けられ、復元力は、次に特に初期長さ（非締め付け状態における締め付けジョー間隔の）３０％又は５０％又は８０％で、使用状態を模擬する被測定領域の規定された伸長のもとで決定される。この場合に締め付けジョー１０２、１０４は可能な限り多くの、しかし少なくとも２つの隣接配置された被測定領域の弾性化手段４０、４２を固定すべきであり、弾性化手段が描くラインに対して略直角に配位され、その結果、締め付けジョー１０２、１０４からの離間が、本質的に弾性化手段が描くラインの方向に発生する。これは図８及び図９に実現される。
【０１０２】
失禁用品２の図示された好ましい実施形態において、背部６の対応する股に対向する最も内側の第２の弾性化手段４２から腹部の股に対向する最も内側の第２の弾性化手段４０の間隔Ｃは、失禁用品の製造寸法によるが、２５０ｍｍ〜４２０ｍｍの間の範囲になる。第２の弾性化手段４０、４２は、実質的に腹部４及び背部６の股に対向する側の横縁部５８、６０まで延伸する。腹部４及び背部６の間隔は２５０〜４００ｍｍである。
【０１０３】
脚開口部に対向する腹部４及び背部６の股側領域２２、２６の脚開口部を制限する縁部輪郭３２、３４からの最内部の股に対向する側の第２の弾性化手段４０、４２の間隔は、好ましくは２〜４０ｍｍ、より好ましくは３〜３０ｍｍ、特に好ましくは４〜１５ｍｍである。
【０１０４】
長手方向９における側面継ぎ目領域１４における腹部４及び背部６の範囲は、有利には１００ｍｍ及び２２０ｍｍの間になる。横方向１６における股部８の範囲は有利には２００ｍｍ及び３５０ｍｍの間になる。
【０１０５】
図１からの切断面ＩＩ−ＩＩに沿った断面図を概略的に示す図２から明らかであるように、股部８は液体不透過性のバックシート材料６２を有し、これは特に通気可能であるが、液体不透過性の被膜材料から形成されていてもよく、好ましくは不織布基材上に製造されたトップシート材料８４を有し、これは、両側に配列された不織布基材とバリア手段６８上に製造されるトップシート材料８４の複合体である。図２から明らかなように、バックシート材料とトップシート材料との間には吸収体７が配置されている。この吸収体７は長手方向縁部４６を有する。一例として図示された場合において、バックシート材料６２は、長手方向縁部４６の両側にそれぞれ横方向１６にオーバーハング部６６ａ、６６ｂを形成する。トップシート６４は横方向において吸収体７を相対的にわずかにのみ超えて突出するが、吸収体７の両側で長手方向９に延びる直立のバリア手段６８が設けられ、これは典型的には直立のカフ要素又は脚帯要素と称され、好ましくは疎水性の、特に液体不透過性の不直布材料によって形成され、該不織布材料は横方向１６に好ましくは股部８の側方の長手方向縁部４８まで延伸する。バリア手段６８は、その際に結合領域７６においてトップシート材料６４の長手方向縁部２１０若しくは長手方向縁部領域２１２に結合されている。バリア手段６８の遠位端７０には、更なる弾性化手段７２が設けられ、これは失禁用品の使用中にバリア手段６８をユーザの皮膚表面に対して持ち上げ、これは図１から切断面ＩＶ−ＩＶに沿った概略断面図である図５に示される。長手方向９に配列される結合領域７６は連続して延伸されるカフベースライン８０を形成する。
【０１０６】
ここで、バックシート材料６２及び／又はトップシート材料８４の上記オーバーハング部６６ａ、６６ｂが吸収体７の長手方向縁部４６の両側で、即ち合計で股部の最大幅Ｅに対して少なくとも２５％であれば特に有利であることが証明されている。これは、このような配置とすることにより、脚開口部１９に沿って延在するように脚部弾性化手段８２を配列するための空間が横方向１６に存在するからである。一方で、吸収体の吸収作用に好ましくない影響を与える付加的な伸張力やねじれ力が吸収体に加わることがなく、他方で、吸収体によって影響されることのない液密な脚側終端部(leg termination)が実現されるように、これらの脚部弾性化手段８２が、嵩が大きく、それ故に可也剛直な吸収体７からある距離だけ隔たって延在するようにするならば有利であることが照明されている。図示された場合において、上記脚部弾性化手段８２が長手方向９に腹部４若しくは背部６の第２の弾性化手段４０及び４２の前において特に少なくとも１０ｍｍ、好ましくは少なくとも２０ｍｍの間隙距離で終了することが特に有利であることが証明されている。好ましくは、これらの脚部弾性化手段８２は、長手方向９において腹部４及び背部６の手前で終了する。脚部弾性化手段８２がこのように配設されている場合、腹部４及び背部６の伸長関連の挙動にわずかに若しくは全く影響しないために、このことは、有利であり、且つ本質的である。すなわち、もし、通常は大きい予応力と相応の大きい復元力とを伴って形成される脚部弾性化手段８２がその部分にまで延在する場合に、脚開口部１９に対向する腹部４及び背部６の股側領域２２、２６において着用快適性の改善を有利に達成する目的に関して悪影響を及ぼすことが証明されることが認識されたからである。
【０１０７】
図１に関連して図２から明らかなように、股部８の場合に横方向１６に比較的大きいオーバーハング部６６ａ、６６ｂが吸収体７の長手方向縁部４６の両側に実現され、正確には、特に腹部４と背部６に対向する股部８のそれぞれの領域に実現されている。この結果−既に指摘されたように−、腹部４及び背部６と股部８の比較的大きい重なり領域３６、３８が実現されている。好ましい構成上の変形に従って、腹部４と股部８の重なり領域３６は、腹部４の表面積の少なくとも１２％を有し、背部６と股部８の重なり領域３８は、背部６の表面積の少なくとも２０％を有する。これは、股部８の腹部４と背部６とへの確実な固定がこのようにして達成できるので、有利であることが証明されている。
図１は、平坦な展開状態におけるＨ字形の基本構造を備えた失禁用品２を示す。図１から明らかなように、失禁用品２は、本発明による第１の結合領域３１０、３１２及び第２の結合領域３１４ａ、３１４ｂ、３１６ａ、３１６ｂを有し、これらは前方及び後方の重なり領域３６、３８に配列され、これにより前方及び後方の接続領域３０６、３０８をもたらし、股部８は腹部４及び背部６にそれぞれ分離不能に結合されている。（ここでは左側の第２の結合領域のみが概略的に図示された）図１の平面ＩＩ−ＩＩに沿った概略断面図を示す図２と共に参照すれば、第２の結合領域３１４ａ、３１４ｂ、３１６ａ、３１６ｂはこの場合、股部８のそれぞれ長手方向縁部４８を橋渡しする領域３２０ａ、３２０ｂ、３２２ａ、３２２ｂに配列されることは明らかである。その結果して、オーバーハング部６６ａ、６６ｂの部分領域３２４ａ、３２４ｂ、３２６ａ、３２６ｂ、及び長手方向縁部４８に隣接する腹部４若しくは背部６の部分領域３２８ａ、３２８ｂ、３３０ａ、３３０ｂには、第２の結合領域３１４ａ、３１４ｂ、３１６ａ、３１６ｂが、そこに配列された結合手段３４０とともに夫々広がる。
【０１０８】
これら第２の結合領域３１４ａ、３１４ｂ、３１６ａ、３１６ｂは夫々補強領域３３４ａ、３３４ｂ、３３６ａ、３３６ｂを形成する。
長手方向９に沿って考えると、第２の結合領域３１４ａ、３１４ｂ、３１６ａ、３１６ｂ、したがって補強領域３３４ａ、３３４ｂ、３３６ａ、３３６ｂは、腹部４と背部６の股対向横縁部５８、６０から股部の長手方向端部の方向に、好ましくは股部８の少なくともそれぞれの長手方向端部９８、１００まで延在する。
【０１０９】
第２の結合領域３１４ａ、３１４ｂ、３１６ａ、３１６ｂは、その全体幅Ｐが好ましくは５〜６０ｍｍ、特に１０〜５０ｍｍ、中でも特に１０〜４０ｍｍ、中でも特に１０〜３０ｍｍである。
第２の結合領域３１４ａ、３１４ｂ、３１６ａ、３１６ｂがその上に広がるそれぞれのオーバーハング部６６ａ、６６ｂの部分領域３２４ａ、３２４ｂ、３２６ａ、３２６ｂにおいて、第２の結合領域の幅Ｐ’は、好ましくは１ｍｍより大きく、より好ましくは２ｍｍより大きく、さらに好ましくは５ｍｍより大きく、しかしながら好ましくは６０ｍｍより小さく、より好ましくは５０ｍｍより小さく、さらに好ましくは４０ｍｍより小さく、さらに好ましくは３０ｍｍより小さく、さらに好ましくは２０ｍｍより小さく、特に好ましくは１０ｍｍより小さい。
【０１１０】
第２の結合領域３１４ａ、３１４ｂ、３１６ａ、３１６ｂは、前記第２の結合領域３１４ａ、３１４ｂ、３１６ｂ、３１６ｂがその上に広がるオーバーハング部６６ａ、６６ｂのそれぞれの部分領域３２４ａ、３２４ｂ、３２６ａ、３２６ｂの、幅Ｈを有するそれぞれのオーバーハング部６６ａ、６６ｂに対する幅Ｐ’の割合Ｐ’／Ｈが、好ましくは少なくとも０．０１、特に少なくとも０．０４、中でも特に少なくとも０．０７、中でも特に少なくとも０．１０であるが、しかしながら、好ましくは最大で０．９０、中でも特に最大で０．８０、中でも特に最大で０．７０、中でも特に最大で０．６０、中でも特に最大で０．５０、中でも特に最大で０．４０であるように、オーバーハング部６６ａ、６６ｂのそれぞれの部分領域３２４ａ、３２４ｂ、３２６ａ、３２６ｂの上に横方向に広がる。
【０１１１】
第２の結合領域３１４ａ、３１４ｂ、３１６ａ、３１６ｂがその上に広がる腹部４若しくは背部６の部分領域３２８ａ、３２８ｂ、３３０ａ、３３０ｂにおいて、第２の結合領域の幅Ｐ”は、好ましくは１ｍｍより大きく、より好ましくは２ｍｍより大きく、さらに好ましくは５ｍｍより大きいが、好ましくは６０ｍｍより小さく、より好ましくは５０ｍｍより小さく、より好ましくは４０ｍｍより小さく、より好ましくは３０ｍｍより小さく、より好ましくは２０ｍｍより小さく、特に好ましくは１０ｍｍである。
【０１１２】
第２の結合領域３１４ａ、３１４ｂ、３１６ａ、３１６ｂは、幅Ｐ”を有し第２の結合領域３１４ａ、３１４ｂ、３１６ａ、３１６ｂがその上に広がる腹部及び背部のそれぞれの部分領域３２８ａ、３２８ｂ、３３０ａ、３３０ｂの、幅Ｈを有するオーバーハング部６６ａ、６６ｂに対する割合Ｐ”／Ｈが、好ましくは少なくとも０．０１、特に少なくとも０．０４、更に特に少なくとも０．０７、中でも特に少なくとも０．１０であるが、好ましくは最大で０．９０、特に差痛い゛で０．８０、中でも特に最大で０．７０、中でも特に最大で０．６０、中でも特に最大で０．５０、中でも特に最大で０．４０であるように、腹部４及び背部６のそれぞれの部分領域３２８ａ、３２８ｂ、３３０ａ、３３０ｂの上に横方向１６に広がる。
【０１１３】
上記に説明したように、第２の結合領域３１４ａ、３１４ｂ、３１６ａ、３１６ｂは、腹部と背部の隣接する部分領域３２８ａ、３２８ｂ、３３０ａ、３３０ｂ上に広がる。股部８の長手方向縁部４８、及び腹部４と背部６の長手方向縁部１０、１２の間にはそれぞれ側面領域３６０ａ、３６０ｂ、３６２ａ、３６２ｂがある。それぞれの側面領域は幅Ｎである。更に図１０に概略的に図示されるように、幅Ｎを有する腹部と背部のそれぞれの側面領域３６０ａ、３６０ｂ（及び３６２ａ、３６２ｂ）の上に、比例幅Ｐ”で第２の結合領域３１４ａ、３１４ｂ（及び３１６ａ、３１６ｂ）が広がる。図１０において、腹部又は背部は矩形パネルとして示される。しかしながら、図１に示され、さらに図１０における破線によって描画されるように、股部に対向する領域２２はまた、弓状の縁部輪郭３２をとる。
幅Ｐ”を有し、第２の結合領域３１４ａ、３１４ｂ、３１６ａ、３１６ｂがその上に広がる腹部及び／又は背部のそれぞれの部分領域３２８ａ、３２８ｂ、３３０ａ、３３０ｂの、幅Ｎを有する腹部及び／又は背部のそれぞれの部分領域３６０ａ、３６０ｂ、３６２ａ、３６２ｂに対する幅Ｐ”の割合Ｐ”／Ｎは、好ましくは少なくとも０．０１、特に少なくとも０．０１５、中でも特に少なくとも０．０２０、及び好ましくは最大で０．３５、特に最大で０．３０、中でも特に最大で０．２５、中でも特に最大で０．２０、中でも特に最大で０．１５、中でも特に最大で０．１０である。
【０１１４】
有利な方法において、幅Ｐ’を有し、第２の結合領域３１４ａ、３１４ｂ、３１６ａ、３１６ｂがその上に広がるそれぞれのオーバーハング部６６ａ、６６ｂのそれぞれの部分領域３２４ａ、３２４ｂ、３２６ａ、３２６ｂの、幅Ｎを有する腹部及び／又は背部のそれぞれの部分領域３６０ａ、３６０ｂ、３６２ａ、３６２ｂに対する幅Ｐ’の割合Ｐ’／Ｎは、好ましくは少なくとも０．０１、特に少なくとも０．０１５、中でも特に少なくとも０．０２０、及び好ましくは最大で０．３５、中でも特に最大で０．３０、中でも特に最大で０．２５、中でも特に最大で０．２０、中でも特に最大で０．１５、中でも特に最大で０．１０である。
【０１１５】
第２の結合領域３１４ａ、３１４ｂ、３１６ａ、３１６ｂ（図２）に配列される結合手段３４０は溶接部位、好ましくは超音波溶接部位であり、これらは第２の結合領域内の表面積全体には配列されていない。
図３（ここでは股部８を腹部４に取り付けた失禁用品の詳細）に更に表示されるように、結合手段３４０は孔開き式で配列される。それぞれの場合に超音波溶接部位の形態の結合手段３４０は、結合部位（即ち、取り付け領域）３４２を形成し、これは非取り付け領域３４４によって、隣接する結合部位から間隔があけられている。第２の結合領域（ここでは３１４ｂ）の面積範囲を決定するために、最も外側の結合手段３４０即ち結合部位３４２は夫々想像線３５０によって繋がっている。表面領域（結合部位）が取り付けられた第２の結合領域３１４ｂが広がる表面全体に、ポイントパターンの形態で配列される結合手段３４０は、全体で、第２の結合領域がその上に広がる表面領域全体に対して、好ましくは少なくとも１．５％、特に少なくとも２．０％、中でも特に少なくとも２．３％、中でも特に少なくとも２．５％、及び好ましくは最大で２０．０％、中でも特に最大で１５．０％、中でも特に最大で１０．０％、中でも特に最大で８．０％、中でも特に最大で７．０％、中でも特に最大で６．０％である。個々の結合手段の直径は、好ましくは少なくとも０．２ｍｍ、特に少なくとも０．３ｍｍ、中でも特に少なくとも０．４ｍｍであり、好ましくは最大で２．５ｍｍ、特に最大で２．０ｍｍ、中でも特に最大で１．５ｍｍ、中でも特に最大で１．２ｍｍ、中でも特に最大で１．０ｍｍである。ポイントパターンで存在する隣接する個々の結合手段３４０は、好ましくは１〜１０ｍｍ、特に１〜８ｍｍ、中でも特に１〜６ｍｍ、中でも特に１〜５ｍｍであり、中でも特に１．５〜４．５ｍｍ、中でも特に２〜４ｍｍだけ互いに間隔があけられている。
【０１１６】
図４は、図３の切断面ＩＶ−ＩＶに沿った第２の結合領域３１４ａの断面図を示す。
不織布のトップシート材料８４及び被膜のバックシート６２から構成される股部８のオーバーハング部６６ｂは、結合手段３４０によって形成される結合部位３４２を用いてその下側で横に置かれた腹部４に取り付けられる。
【０１１７】
図２に示されるように、第１の結合領域３１２は幅Ｋを有する吸収体７の下に延在し、したがって、さらに輪郭、即ち、吸収体７の長手方向縁部４６にわたって延伸するが、股部８の輪郭の外側ではなく、代わりに股部８の長手方向縁部４８内で終了する。股部８はその際に、表面領域全体にわたって接着剤の塗布によって背部６に接続されることが好ましい。
【０１１８】
この例示にあるように、トップシート材料は、トップシート６４と該トップシート６４の両側の長手方向縁部２１０若しくは長手方向縁部領域２１２上に結合されるバリア手段６８との複合体である。トップシート材料はその際に、接着剤２００、特にホットメルト接着剤を用いて吸収体に取り付けられ、吸収体７の側面縁部４６に重なり合い、さらにバックシート材料６２の隣接する部分領域に取り付けられる。
【０１１９】
別個の結合手段（図２に図示せず）がさらに、バックシート材料と吸収体との間、及びトップシート材料と吸収体との間に設けられている。これら別個の結合手段は、接着剤の形態で塗布され、表面領域全体ではなく、断続したパターン形状で塗布される。これら別個の結合手段は、接着剤の形態で設けられ、それゆえに例えば格子形、ストリップ形、又は渦巻パターンとして塗布される。
【０１２０】
図１０は、股部８に結合された腹部４を備えた未完成の失禁用品２、及び第１の結合領域３１０とそれぞれの第２の結合領域３１４ａ、３１４ｂの配列の有利な構成を概略的に示している。図１０に示されるように、第１の結合領域３１０は、幅Ｋを有する吸収体７の長手方向縁部４６上で有利に幅Ｒで横方向１６に広がるが、股部８の長手方向縁部４８上には到達しない。それぞれの場合に、幅Ｐを備えたそれぞれの第２の結合領域３１４ａ、３１４ｂは、股部８の長手方向縁部４８を橋渡しする。それにより、結合領域３１４ａ、３１４ｂは、幅Ｈを有するオーバーハング部６６ａ、６６ｂの隣接する部分領域３２４ａ、３２４ｂ上に夫々広がる。第２の結合領域３１４ａ、３１４ｂはさらに、腹部４、正確には幅Ｐ”を有する腹部の隣接部分領域３２８ａ、３２８ｂ上にそれぞれ広がる。第１の結合領域３１０はこれにより、それぞれの第２の結合領域３２４ａ、３２４ｂとの重なりが得られるように横方向に広がる。
【図１】
0005597694.tif 000002
【図２】
0005597694.tif 000003
【図３】
0005597694.tif 000004
【図４】
0005597694.tif 000005
【図５】
0005597694.tif 000006
【図６】
0005597694.tif 000007
【図７】
0005597694.tif 000008
【図８】
0005597694.tif 000009
【図９】
0005597694.tif 000010
【図１０】
0005597694.tif 000011